(57)【要約】      （修正有）【課題】形状の安定性が保証される太陽電池パネルのための水面浮遊式支持構造体を提供する。【解決手段】水面浮遊式支持構造体は、中空内部を有する閉鎖式箱構造体であり、水面浮遊式支持構造体には、防水通気部材が設けられ、それを通じて水面浮遊式支持構造体の空洞が外側大気と連通している。水面浮遊式支持構造体の上面２には、装着チューブ５が設けられ、該装着チューブ５は、水面浮遊式支持構造体の該上面２から上向きに延び、かつ水面浮遊式支持構造体の空洞と連通しており、防水通気部材は、該装着チューブ５に取り付けられた通気チューブと、該通気チューブの上部上に配置されて該通気チューブを覆うレインキャップとを含み、該通気チューブが該レインキャップに近い位置に通気孔が配置される。【選択図】図４
0003218253.tif 000002
【実用新案登録請求の範囲】
【請求項１】
太陽電池パネルのための水面浮遊式支持構造体であって、前記水面浮遊式支持構造体が、中空内部を有する閉鎖式箱構造体であり、前記水面浮遊式支持構造体には、防水通気部材が設けられ、前記水面浮遊式支持構造体の内側の空洞が、前記防水通気部材を通じて外側大気と連通している、水面浮遊式支持構造体。
【請求項２】
前記水面浮遊式支持構造体は、楔形である、請求項１に記載の水面浮遊式支持構造体。
【請求項３】
前記水面浮遊式支持構造体の上面（２）には、装着チューブ（５）が設けられ、該装着チューブ（５）は、前記水面浮遊式支持構造体の該上面（２）から上向きに延び、かつ前記水面浮遊式支持構造体の前記空洞と連通しており、前記防水通気部材は、該装着チューブに取り付けられた通気チューブ（８）と、該通気チューブ（８）の上部上に配置されて該通気チューブ（８）を覆うレインキャップ（９）とを含み、該通気チューブ（８）が該レインキャップ（９）に近い位置に通気孔（１０）が配置される、請求項１に記載の水面浮遊式支持構造体。
【請求項４】
前記装着チューブ（５）及び前記通気チューブ（８）は、ネジで取り付けられ、該装着チューブ（５）及び該通気チューブ（８）のいずれか一方には、雄ネジ山が設けられ、他方には、雌ネジ山が設けられる、請求項３に記載の水面浮遊式支持構造体。
【請求項５】
前記レインキャップ（９）は、円錐形状を有する、請求項３に記載の水面浮遊式支持構造体。
【請求項６】
前記水面浮遊式支持構造体の前記上面（２）には、雌ネジ山を有する空気出口が設けられ、前記防水通気部材は、
内側に空洞構造を有するネジプラグ（１１）であって、該ネジプラグ（１１）のネジロッド部には、前記空気出口が取り付けられた雄ネジ山が設けられ、通気孔（１０）が、該ネジプラグ（１１）のネジキャップの側面に設けられた前記ネジプラグ（１１）と、
前記ネジプラグ（１１）の前記空洞に配置されて該ネジプラグ（１１）内側の該空洞を上側空洞及び下側空洞に分割し、かつ前記通気孔（１０）よりも低い位置にある防水通気性微孔膜（１２）と
を含む防水通気性プラグである、請求項１に記載の水面浮遊式支持構造体。
【請求項７】
前記水面浮遊式支持構造体の上面（２）には、装着チューブ（５）が設けられ、該装着チューブ（５）は、前記水面浮遊式支持構造体の該上面（２）から上向きに延び、かつ前記水面浮遊式支持構造体の前記空洞と連通しており、前記防水通気部材は、Ｕ字形エルボーチューブ（１４）であり、該Ｕ字形エルボーチューブ（１４）の一端が、該装着チューブ（５）に取り付けられ、該Ｕ字形エルボーチューブ（１４）の他端が、下向きの開口部を有する空気出口端である、請求項１に記載の水面浮遊式支持構造体。
【請求項８】
前記Ｕ字形エルボーチューブ（１４）の前記空気出口端には、防水通気性膜（１５）が更に設けられる、請求項７に記載の水面浮遊式支持構造体。
【請求項９】
ブロー成形孔（１）が、前記水面浮遊式支持構造体の側面上に残され、雌ネジ山が、該ブロー成形孔（１）に設けられ、前記防水通気部材は、Ｓ字形エルボーチューブ（１３）であり、該Ｓ字形エルボーチューブ（１３）の一端が、雄ネジ山によって該ブロー成形孔（１）に接続され、該Ｓ字形エルボーチューブ（１３）の他端が、下向きの開口部を有する、請求項１に記載の水面浮遊式支持構造体。
【請求項１０】
ブロー成形孔（１）が、前記水面浮遊式支持構造体の側面上に残され、該ブロー成形孔（１）は、ブロー成形チューブに位置付けられ、前記防水通気部材は、
ストレートチューブハウジング（１７）であって、該ストレートチューブハウジング（１７）が、開放端と閉鎖端を有し、該ストレートチューブハウジング（１７）の該開放端が、前記ブロー成形チューブに取り付けられ、通気孔（１０）が、該ストレートチューブハウジング（１７）の横側壁に設けられ、該通気孔（１０）は、該ストレートチューブハウジング（１７）の該閉鎖端の近くに配置され、該ストレートチューブハウジング（１７）が該ブロー成形チューブ上に装着された状態では、該通気孔（１０）は、下向きである前記ストレートチューブハウジング（１７）と、
前記ストレートチューブハウジング（１７）に配置され、かつ前記通気孔（１０）と前記ブロー成形チューブの間に位置付けられた防水通気性膜（１５）と、
を含む防水通気性プラグである、請求項１に記載の水面浮遊式支持構造体。
【請求項１１】
前記ブロー成形チューブには、雄ネジ山が設けられ、前記ストレートチューブハウジング（１７）の前記開放端には、該雄ネジ山が取り付けられた雌ネジ山が設けられ、該ブロー成形チューブには、該ストレートチューブハウジング（１７）の装着位置を制限するように構成された回転ロック刻み（１６）が更に設けられ、該ストレートチューブハウジング（１７）の該開放端には、該回転ロック刻み（１６）が取り付けられた回転ロック溝（１８）が設けられる、請求項１０に記載の水面浮遊式支持構造体。
【請求項１２】
前記ストレートチューブハウジング（１７）と同心の防水リング（２０）が、該ストレートチューブハウジング（１７）に更に設けられ、該防水リング（２０）の外壁が、接続板によって該ストレートチューブハウジングの内壁に接続され、該防水リング（２０）、該接続板、及び該ストレートチューブハウジング（１７）の該内壁は、密封リング溝を形成し、前記ブロー成形チューブが取り付けられた密封リングが、該密封リング溝に配置される、請求項１１に記載の水面浮遊式支持構造体。
【請求項１３】
前記水面浮遊式支持構造体の上面（２）が、反り面であり、該反りの中心部が、前記水面浮遊式支持構造体の内側に向けて凹んでいる、請求項２に記載の水面浮遊式支持構造体。
【考案の詳細な説明】
【技術分野】
【０００１】
本出願は、水面上の太陽電池パネルの設置の技術分野、特に太陽電池パネルのための水面浮遊式支持構造体に関する。
【背景技術】
【０００２】
科学及び技術の進歩に伴って、地球に優しい開発は、益々多くの国によって認識されている。太陽エネルギは、ある一定の観点から無尽蔵の再生可能なエネルギ源である。それは、十分にクリーンであり、比較的広範囲に使用され、絶対的に確実であり、かつ豊かな資源を有し、長期エネルギ戦略において重要な役割を果たすものである。
【０００３】
地球上では、海洋面積は、地球の表面積の７１％になり、限りある陸地面積の殆どは、山及び丘のような太陽電池パネルの配置に適さない地形であり、従って、水上太陽電池パネルモジュールの開発は、太陽エネルギの大規模用途に向けて切迫した要求になってきている。
【０００４】
太陽電池パネルを水面上に配置するためには、浮遊構造体を水面上に配置することが必要であり、個々の浮遊構造体は、互いに接続されて大規模な水上支持プラットフォームを構成する。図１及び図２に示すように、単一浮遊構造体は、ブロー成形法によって樹脂材料で作られて太陽電池モジュール及びそのケーブル機器を担持するのに使用される閉鎖型浮遊部材である。ブロー成形の生産方法では、ブロー成形ノズル０１が浮遊構造体の片側に残る。水がブロー成形ノズル０１を通じて浮遊構造物に進入するのを防止するために、浮遊構造物のブロー成形ノズル０１は、一般的に、生産が終了した後に閉鎖され、浮遊構造物の上側部分は、一般的に、太陽電池パネルの装着に使用される装着面である。
【０００５】
ブロー成形ノズル０１の閉鎖により、浮遊構造体の内部は空気で充填された閉鎖空間になる。環境温度の変化により、浮遊構造体内の空気の圧力は大きく変化する。浮遊構造体はプラスチック材料のものであるので、浮遊構造体の面形状は大きく変化する場合がある。図３に示すように、長期的な応力荷重によって引き起こされる不可逆的な変形でさえも浮遊構造体の面に現れ、それによって浮遊構造体の使用寿命は悪影響を受ける。太陽電池パネルのための装着面が変形した後に、電池パネルは、接続不能になったり、外れたりする。長期的な風荷重振動を受けた後に、外れた電池パネルでの部分亀裂が発生すると考えられ、従って発電効率が低減する。
【０００６】
従って、当業者によって緊急に対処されるべき技術的な問題は、浮遊構造体の内側の空気圧の変化によって引き起こされる形状の変化を効果的に回避する方法である。
【考案の概要】
【考案が解決しようとする課題】
【０００７】
本出願の態様は、浮遊構造体の内側の空気圧の変化が水面浮遊式支持構造体の形状の変化を引き起こす問題に対処することができるような太陽電池パネルのための水面浮遊式支持構造体を提供することである。
【課題を解決するための手段】
【０００８】
上述の態様を達成するために、太陽電池パネルのための水面浮遊式支持構造体が本出願によって提供される。水面浮遊式支持構造体は、中空内部を有する閉鎖式箱構造体である。水面浮遊式支持構造体には、防水通気部材が設けられ、水面浮遊式支持構造体の内側の空洞が、防水通気部材を通じて外側大気と連通している。
【０００９】
好ましくは、水面浮遊式支持構造体は、楔形である。
【００１０】
好ましくは、水面浮遊式支持構造体の上面は、反り面であり、反りの中心部は、水面浮遊式支持構造体の内側に向けて凹んでいる。
【００１１】
好ましくは、水面浮遊式支持構造体の上面には、装着チューブが設けられ、装着チューブは、水面浮遊式支持構造体の上面から上向きに延び、かつ水面浮遊式支持構造体の空洞と連通しており、防水通気部材は、装着チューブに取り付けられる通気チューブと、通気チューブの上部上に配置されて通気チューブを覆うレインキャップとを含み、通気孔が、通気チューブがレインキャップに対して閉じられる位置に配置される。
【００１２】
好ましくは、装着チューブ及び通気チューブはネジで取り付けられ、装着チューブ及び通気チューブのいずれか一方には、雄ネジ山が設けられ、他方には、雌ネジ山が設けられる。
【００１３】
好ましくは、レインキャップは、円錐形状を有する。
【００１４】
好ましくは、水面浮遊式支持構造体の上面には、雌ネジを有する空気出口が設けられ、防水通気部材は、防水通気性プラグであり、防水通気性プラグは、内側に空洞構造を有するネジプラグと防水通気性微孔膜とを含む。
具体的には、ネジプラグのネジロッド部には、空気出口が取り付けられたネジ山が設けられ、ネジプラグのネジキャップには、側面上に通気孔が設けられ、
具体的には、防水通気性微孔膜が、ネジ込みプラグの空洞に配置され、かつネジ込みプラグ内側の空洞を上側空洞及び下側空洞に分割し、防水通気性微孔膜は、通気孔よりも低い。
【００１５】
好ましくは、水面浮遊式支持構造体は、ネジロッド部の外側にスリーブの付いた密封リングを更に含む。
【００１６】
好ましくは、水面浮遊式支持構造体の上面には、装着チューブが設けられ、装着チューブは、水面浮遊式支持構造体の上面から上向きに延び、かつ水面浮遊式支持構造体の空洞と連通しており、防水通気部材は、Ｕ字形エルボーチューブであり、Ｕ字形エルボーチューブの一端は、装着チューブに取り付けられ、Ｕ字形エルボーチューブの他端は、下向きの開口部を有する空気出口端である。
【００１７】
好ましくは、装着チューブ及びＵ字形エルボーチューブのいずれか一方には、雄ネジ山が設けられ、他方には、雌ネジ山が設けられる。
【００１８】
好ましくは、Ｕ字形エルボーチューブの空気出口端には、防水通気性膜が更に設けられる。
【００１９】
好ましくは、ブロー成形孔は、水面浮遊式支持構造体の側面上に残され、雌ネジ山が、ブロー成形孔に設けられ、防水通気部材は、Ｓ字形エルボーチューブであり、Ｓ字形エルボーチューブの一端は、雄ネジ山によってブロー成形孔に接続され、他端は、下向きの開口部を有する。
【００２０】
好ましくは、水面浮遊式支持構造体は、高位支持板及び低位支持板を含み、高位支持板及び低位支持板の各々の上端には、太陽電池パネルを装着するための装着孔又は装着円柱が設けられる。
【００２１】
好ましくは、ブロー成形孔は、水面浮遊式支持構造体の側面上に残され、ブロー成形孔は、ブロー成形チューブに位置付けられ、防水通気部材は、防水通気性プラグであり、防水通気性プラグは、ストレートチューブハウジング及び防水通気性膜を含む。
具体的には、ストレートチューブハウジングは、開放端及び閉鎖端を有し、ストレートチューブハウジングの開放端は、ブロー成形チューブに取り付けられ、通気孔が、ストレートチューブハウジングの横側壁に設けられ、通気孔は、ストレートチューブハウジングの閉鎖端の近くに配置され、ストレートチューブハウジングがブロー成形チューブ上に装着された状態では、通気孔は、下向きであり、
具体的には、防水通気性膜は、ストレートチューブハウジングに配置され、かつ通気孔とブロー成形チューブの間に位置付けられる。
【００２２】
好ましくは、ブロー成形チューブの吐水口には、雄ネジ山が設けられ、シェルの開放端には、雄ネジ山が取り付けられた雌ネジ山が設けられ、ブロー成形チューブには、ストレートチューブハウジングの装着位置を制限するように構成された回転ロック刻みが更に設けられ、ストレートチューブハウジングの開放端には、回転ロック刻みが取り付けられた回転ロック溝が設けられる。
【００２３】
好ましくは、ストレートチューブハウジングと同心の防水リングが、シェルに更に設けられ、防水リングの外壁は、接続板によってストレートチューブハウジングの内壁に接続され、防水リング、接続板、及びシェルの内壁が、密封リング溝を形成し、ブロー成形チューブが取り付けられた密封リングが、密封リング溝に配置される。
【００２４】
本出願に開示する水面浮遊式支持構造体には、防水通気構造が設けられ、水面浮遊式支持構造体の内側の空洞は、防水通気部材を通じて外側大気と連通している。いわゆる防水通気構造は、液体の進入を防止するが気体の流れを可能にする構造である。防水通気構造の配置は、水面浮遊式支持構造体の内側を外側大気と連通させる。従って、水面浮遊式支持構造体の内側及び外側の空気圧は、常に同じである。周囲温度が変化する場合であっても、水面浮遊式支持構造体の内側の大気と水面浮遊式支持構造体の外側の大気の間で空気圧の差がないことになる。すなわち、従来の水面浮遊式支持構造体で提起された問題は効果的に対処され、水面浮遊式支持構造体の形状の安定性が保証される。
【図面の簡単な説明】
【００２５】
【図１】通常条件での従来技術における水面浮遊式支持構造体の構造を示す概略図である。
【図２】図１の水面浮遊式支持構造体の概略断面図である。
【図３】膨張後の図１に開示する水面浮遊式支持構造体の構造を示す概略図である。
【図４】本出願の第１の実施形態に開示する水面浮遊式支持構造体の構造（防水通気部材は図示せず）を示す概略図である。
【図５】図４の装着チューブが取り付けられた防水通気部材の構造を示す概略図である。
【図６】本出願の第２の実施形態に開示する防水通気部材の構造を示す概略図である。
【図７】図６に開示する防水通気部材の概略断面図である。
【図８】本出願の第３の実施形態に開示する水面浮遊式支持構造体の構造を示す概略図である。
【図９】図８に開示する防水通気部材の構造を示す概略図である。
【図１０】本出願の第４の実施形態に開示する水面浮遊式支持構造体の構造を示す概略図である。
【図１１】図１０に開示する防水通気部材の構造を示す概略図である。
【図１２】本出願の第５の実施形態に開示するブロー成形ノズルを有する水面浮遊式支持構造体の構造を示す概略図である。
【図１３】図１２のブロー成形ノズルの構造を示す概略図である。
【図１４】本出願の第５の実施形態によるブロー成形ノズルが取り付けられた防水通気性プラグの構造を示す概略図である。
【図１５】図１４の概略断面図である。
【００２６】
図中の参照番号
１  ブロー成形孔
２  上面
３  低位垂直支持板
４  高位垂直支持板
５  装着チューブ
６  装着円柱
７  接続ラグ
８  通気チューブ
９  レインキャップ
１０  通気孔
１１  ネジプラグ
１２  防水通気性微孔膜
１３  Ｓ字形エルボーチューブ
１４  Ｕ字形エルボーチューブ
１５  防水通気性膜
１６  回転ロック刻み
１７  ストレートチューブハウジング
１８  回転ロック溝
１９  十字支持板、及び
２０  防水リング
【考案を実施するための形態】
【００２７】
本出願の態様は、浮遊構造体の内側の空気圧の変化が水面浮遊式支持構造体の形状の変化を引き起こすという問題に対処することができるような太陽電池パネルのための水面浮遊式支持構造体を提供することである。
【００２８】
当業者が本出願のソリューションをより良く理解することができるように、本出願を図面及び実施形態と共に以下で詳細に更に説明する。
【００２９】
本出願の実施形態に開示する水面浮遊式支持構造体は、中空内部を有する閉鎖型箱構造体であり、更に、水面浮遊式支持構造体には、防水通気部材が設けられ、水面浮遊式支持構造体の内側の空洞は、防水通気部材を通じて外側大気と連通している。
【００３０】
いわゆる防水通気構造は、液体の進入を防止するが気体の流れを可能にする構造である。防水通気構造の配置は、水面浮遊式支持構造体の内側を外側大気と連通させる。従って、水面浮遊式支持構造体の内側及び外側の空気圧は、常に同じである。たとえ周囲温度が変化しても、水面浮遊式支持構造体の内側の大気と水面浮遊式支持構造体の外側の大気の間で空気圧の差がないことになる。このようにして、従来の水面浮遊式支持構造体で提起された問題は効果的に対処され、水面浮遊式支持構造体の形状の安定性が保証される。
【００３１】
図４、図８、及び図１０に示すように、水面浮遊式支持構造体は、楔形であり、その底面は、水面と接触するように構成される。楔形水面浮遊式支持構造体は、大きい高さを有する高位垂直支持板４、及び小さい高さを有する低位垂直支持板３を含み、高位垂直支持板４及び低位垂直支持板３の上端の各々には、太陽電池パネルを装着するための装着孔又は装着円柱６が設けられる。水面浮遊式支持構造体の上面の形状は、限定されず、平面又は曲面とすることができる。水面浮遊式支持構造体の上面２が太陽電池パネルの設置を妨げるのを防止するために、水面浮遊式支持構造体の上面２は、反り面であり、反り面の中心部は、水面浮遊式支持構造体の内側に向けて凹んでいる。
【００３２】
図４及び図５を参照すると、第１の実施形態では、水面浮遊式支持構造体の上面２には、装着チューブ５が設けられる。好ましくは、装着チューブ５及び水面浮遊式支持構造体は、１回の工程によって形成され、装着チューブ５は、水面浮遊式支持構造体の上面２から上向きに延び、水面浮遊式支持構造体の空洞と連通している。装着チューブ５は、水面浮遊式支持構造体の上面２に継目なしに接続される。防水通気部材は、具体的には通気チューブ８及びレインキャップ９を含み、通気チューブ８の下端は、装着チューブ５に取り付けられ、レインキャップ９は、雨水又は跳ね返った水しぶきが水面浮遊式支持構造体の内側に進入するのを防止するために通気チューブ８を覆うように通気チューブ８の上部上に配置される。通気チューブ８には、レインキャップ９に近い位置で通気孔１０が設けられる。通気孔１０の個数は、１又は２以上とすることができる。図５に示すように、この実施形態による通気孔１０の個数は、１よりも多く、通気孔１０は、通気チューブ８の周方向に均等に配分される。
【００３３】
雨水及び他の液体を迅速に落とすために、レインキャップ９は、好ましくは円錐構造を使用する。図５に示すように、装着チューブ５及び通気チューブ８は、ネジ込み組立の方式で設置され、装着チューブ５と通気チューブ８の間のネジ込み組立を達成するために、装着チューブ５のいずれか一方には、雄ネジ山を設けることができ、装着チューブ５及び通気チューブ８の他方には雌ネジ山を設けることができることは当業者が理解することができる。図４及び図５を参照すると、この実施形態における装着チューブ５には、雄ネジ山が設けられ、通気チューブ８には、雌ネジ山が設けられていることを知ることができる。
【００３４】
第２の実施形態が本出願に更に提供される。この実施形態では、水面浮遊式支持構造体の上面２には、空気出口が設けられ、空気出口は、雌ネジ山を有する。防水通気部材は、具体的には防水通気性プラグである。図６及び図７に示すように、防水通気性プラグは、具体的にはネジプラグ１１及び防水通気性微孔膜１２を含む。ネジプラグ１１の内部全体は、中空であり、ネジプラグ１１は、ネジロッド部及びネジキャップを含む。ネジロッド部の外壁には、空気出口が取り付けられた雄ネジ山が設けられ、ネジキャップには、ネジキャップの側面上で通気孔１０が設けられる。防水通気性微孔膜１２は、ネジプラグ１１の空洞に配置され、ネジプラグ１１の内側を上側空洞及び下側空洞に分割する。勿論、水が水面浮遊式支持構造体の空洞に進入するのを効果的に防止するために、防水通気性微孔膜１２は、ネジキャップの通気孔１０よりも低くしなければならない。この技術的ソリューションを更に最適化するために、密封リングは、ネジロッド部の外側に更にスリーブを付けることができ、水がネジ山の端面から水面浮遊式支持構造体の内部に浸潤するのを防止する。
【００３５】
図８〜図９を参照すると、ブロー成形孔１は、本出願の第３の実施形態に開示する水面浮遊式支持構造体の側面上にまだ残されている。ブロー成形孔１は、具体的に高位垂直支持板４に位置付けられ、雌ネジ山が、ブロー成形孔１に設けられる。防水通気部材は、具体的にＳ字形エルボーチューブ１３である。Ｓ字形エルボーチューブ１３の一端は、雄ネジ山によってブロー成形孔１に接続され、他端は、通気孔を形成するために下向きの開口部を有する。ネジ山は、Ｓ字形エルボーチューブ１３とブロー成形孔１の確実な接続を保証することができる。勿論、Ｓ字形エルボーチューブ１３及びブロー成形孔１の接続開口部は、Ｓ字形エルボーチューブ１３の通気孔が水中に浸漬する恐れはなく、雨又は波が、Ｓ字形エルボーチューブ１３の通気孔から水面浮遊式支持構造体の内側に逆流するのではなく、重力によってＳ字形エルボーチューブ１３のエルボー部分で流れ落ちることを保証しなければならない。勿論、このソリューションを更に最適化するために、防水通気性膜１５をＳ字形エルボーチューブ１３の通気孔に設けて水蒸気が水面浮遊式支持構造体の内側に進入するのを更に防止することも可能である。
【００３６】
図１０〜図１１を参照すると、第４の実施形態による水面浮遊式支持構造体の上面にも装着チューブ５が設けられる。装着チューブ５は、水面浮遊式支持構造体の上面２から上向きに延び、水面浮遊式支持構造体の空洞と連通している。防水通気部材は、具体的にはＵ字形エルボーチューブ１４であり、Ｕ字形エルボーチューブ１４の一端は、装着チューブ５に取り付けられ、Ｕ字形エルボーチューブ１４の他端は、下向きの開口部を有する空気出口端である。
【００３７】
好ましくは、Ｕ字形エルボーチューブ１４及び装着チューブ５は、ネジ山によって互いに接続される。Ｕ字形エルボーチューブ１４及び装着チューブ５の一方には、雄ネジ山が設けられ、Ｕ字形エルボーチューブ１４及び装着チューブ５の他方には、雌ネジ山が設けられる。水蒸気が水面浮遊式支持構造体の内側に進入するのを更に防止するために、防水通気性膜１５をＵ字形エルボーチューブ１４の出口端に更に設けることができる。
【００３８】
図１２〜図１５を参照すると、ブロー成形孔１は、本出願の第５の実施形態に開示する水面浮遊式支持構造体の側面上に残されている。ブロー成形孔１は、具体的にブロー成形チューブの端部での開口部によって形成される。防水通気部材は、具体的には防水通気性プラグであり、防水通気性プラグは、ストレートチューブハウジング１７及び防水通気性膜１５を含む。ストレートチューブハウジング１７は、開放端及び閉鎖端を有し、ストレートチューブハウジング１７の開放端は、ブロー成形チューブに取り付けられる。通気孔１０は、ストレートチューブハウジング１７の横側壁に設けられ、通気孔１０は、図１４に示すように、ストレートチューブハウジング１７の閉鎖端の近くに配置される。ストレートチューブハウジング１７がブロー成形チューブ上に装着された後に、通気孔１０は、雨水又は跳ね返った水しぶきがストレートチューブハウジング１７内に落ちるのを防止するために下に向く必要がある。防水通気性膜１５は、ストレートチューブハウジング１７に配置され、かつ通気孔１０とブロー成形チューブの間に位置付けられる。
【００３９】
スナップ取り付け、スリーブ取り付けなどのようなブロー成形チューブとストレートチューブハウジング１７の間を取り付ける多くの方法がある。この実施形態では、ブロー成形チューブ及びストレートチューブハウジングは、螺入接続を使用する。具体的には、ブロー成形チューブには、図１３に示すように雄ネジ山が設けられ、ストレートチューブハウジング１７の開放端には、雄ネジ山が取り付けられた雌ネジ山部が設けられる。更に、ブロー成形チューブには、ストレートチューブハウジング１７の装着位置を制限するように構成された回転ロック刻み１６が設けられる。ストレートチューブハウジング１７の開放端には、図１３及び図１４に示すように、回転ロック刻み１６が取り付けられた回転ロック溝１８が設けられる。回転ロック溝１８が回転ロック刻み１６と接触している時に、通気孔１０は、ちょうど最下位置に位置付けられる。
【００４０】
これに基づいて、このソリューションを更に最適化するために、図１５に示すように、ストレートチューブハウジング１７と同心の防水リング２０が、ストレートチューブハウジング１７に更に設けられる。防水リング２０の外壁は、接続板によってストレートチューブハウジング１７の内壁に接続される。防水リング２０、接続板、及びストレートチューブハウジング１７の内壁は、密封リング溝を形成する。ブロー成形チューブが取り付けられた密封リングが、密封リング溝に配置され、それによって接続位置の気密性が増す。防水リング２０の配置は、遮水経路を効果的に増大し、従って、接続部分の気密性を更に改善する。防水通気性膜１５は、具体的に図１５に示すように防水リング２０の位置に配置される。防水通気性膜１５は、その安定性を改善するために十字支持板１９によって支持される。
【００４１】
単一水面浮遊式支持構造体は、一般的に１つの太陽光発電パネルのみを担持することができる。太陽光発電マトリクスを形成するためには、水面浮遊式支持構造体を互いに接続して大型支持プラットフォームを形成する必要があり、従って、水面浮遊式支持構造体の底部の４つのコーナの各々には、図４、図８、図１０、及び１２図に示すように接続ラグ７が設けられる。水面浮遊式支持構造体のいずれか１つの前部分、後部分、左部分、及び右部分の各々は、別の水面浮遊式支持構造体に接続することができる。水面浮遊式支持構造体が高密度ポリエチレン又は他の樹脂材料を用いてブロー成形によって形成される場合に、接続ラグ７は、水面浮遊式支持構造体と一体成形することができる。
【００４２】
本出願による太陽電池パネルのための水面浮遊式支持構造体を以上のように詳細に説明した。本出願の原理及び実施形態は、特定の実施例によって本明細書に示している。実施例の以上の説明は、本出願の方法及び概念の理解を助けることだけを意図している。当業者にとって修正及び改良のいくつかを本出願の原理から逸脱することなく本出願に対して行うことができ、これらの修正及び改良も特許請求の範囲によって定められる本出願の保護範囲に該当すると見なされることに注意しなければならない。
【図１】
0003218253.tif 000003
【図２】
0003218253.tif 000004
【図３】
0003218253.tif 000005
【図４】
0003218253.tif 000006
【図５】
0003218253.tif 000007
【図６】
0003218253.tif 000008
【図７】
0003218253.tif 000009
【図８】
0003218253.tif 000010
【図９】
0003218253.tif 000011
【図１０】
0003218253.tif 000012
【図１１】
0003218253.tif 000013
【図１２】
0003218253.tif 000014
【図１３】
0003218253.tif 000015
【図１４】
0003218253.tif 000016
【図１５】
0003218253.tif 000017
【手続補正書】
【提出日】平成30年7月26日(2018.7.26)
【手続補正１】
【補正対象書類名】実用新案登録請求の範囲
【補正対象項目名】全文
【補正方法】変更
【補正の内容】
【実用新案登録請求の範囲】
【請求項１】
太陽電池パネルのための水面浮遊式支持構造体であって、前記水面浮遊式支持構造体が、中空内部を有する閉鎖式箱構造体であり、前記水面浮遊式支持構造体には、防水通気部材が設けられ、前記水面浮遊式支持構造体の内側の空洞が、前記防水通気部材を通じて外側大気と連通している、水面浮遊式支持構造体。
【請求項２】
前記水面浮遊式支持構造体は、楔形である、請求項１に記載の水面浮遊式支持構造体。
【請求項３】
前記水面浮遊式支持構造体の上面（２）には、装着チューブ（５）が設けられ、該装着チューブ（５）は、前記水面浮遊式支持構造体の該上面（２）から上向きに延び、かつ前記水面浮遊式支持構造体の前記空洞と連通しており、前記防水通気部材は、該装着チューブに取り付けられた通気チューブ（８）と、該通気チューブ（８）の上部上に配置されて該通気チューブ（８）を覆うレインキャップ（９）とを含み、該通気チューブ（８）が該レインキャップ（９）に近い位置に通気孔（１０）が配置される、請求項１に記載の水面浮遊式支持構造体。
【請求項４】
前記装着チューブ（５）及び前記通気チューブ（８）は、ネジで取り付けられ、該装着チューブ（５）及び該通気チューブ（８）のいずれか一方には、雄ネジ山が設けられ、他方には、雌ネジ山が設けられる、請求項３に記載の水面浮遊式支持構造体。
【請求項５】
前記レインキャップ（９）は、円錐形状を有する、請求項３に記載の水面浮遊式支持構造体。
【請求項６】
前記水面浮遊式支持構造体の上面（２）には、雌ネジ山を有する空気出口が設けられ、前記防水通気部材は、
内側に空洞構造を有するネジプラグ（１１）であって、該ネジプラグ（１１）のネジロッド部には、前記空気出口が取り付けられた雄ネジ山が設けられ、通気孔（１０）が、該ネジプラグ（１１）のネジキャップの側面に設けられた前記ネジプラグ（１１）と、
前記ネジプラグ（１１）の前記空洞に配置されて該ネジプラグ（１１）内側の該空洞を上側空洞及び下側空洞に分割し、かつ前記通気孔（１０）よりも低い位置にある防水通気性微孔膜（１２）と
を含む防水通気性プラグである、請求項１に記載の水面浮遊式支持構造体。
【請求項７】
前記水面浮遊式支持構造体の上面（２）には、装着チューブ（５）が設けられ、該装着チューブ（５）は、前記水面浮遊式支持構造体の該上面（２）から上向きに延び、かつ前記水面浮遊式支持構造体の前記空洞と連通しており、前記防水通気部材は、Ｕ字形エルボーチューブ（１４）であり、該Ｕ字形エルボーチューブ（１４）の一端が、該装着チューブ（５）に取り付けられ、該Ｕ字形エルボーチューブ（１４）の他端が、下向きの開口部を有する空気出口端である、請求項１に記載の水面浮遊式支持構造体。
【請求項８】
前記Ｕ字形エルボーチューブ（１４）の前記空気出口端には、防水通気性膜（１５）が更に設けられる、請求項７に記載の水面浮遊式支持構造体。
【請求項９】
ブロー成形孔（１）が、前記水面浮遊式支持構造体の側面上に残され、雌ネジ山が、該ブロー成形孔（１）に設けられ、前記防水通気部材は、Ｓ字形エルボーチューブ（１３）であり、該Ｓ字形エルボーチューブ（１３）の一端が、雄ネジ山によって該ブロー成形孔（１）に接続され、該Ｓ字形エルボーチューブ（１３）の他端が、下向きの開口部を有する、請求項１に記載の水面浮遊式支持構造体。
【請求項１０】
ブロー成形孔（１）が、前記水面浮遊式支持構造体の側面上に残され、該ブロー成形孔（１）は、ブロー成形チューブに位置付けられ、前記防水通気部材は、
ストレートチューブハウジング（１７）であって、該ストレートチューブハウジング（１７）が、開放端と閉鎖端を有し、該ストレートチューブハウジング（１７）の該開放端が、前記ブロー成形チューブに取り付けられ、通気孔（１０）が、該ストレートチューブハウジング（１７）の横側壁に設けられ、該通気孔（１０）は、該ストレートチューブハウジング（１７）の該閉鎖端の近くに配置され、該ストレートチューブハウジング（１７）が該ブロー成形チューブ上に装着された状態では、該通気孔（１０）は、下向きである前記ストレートチューブハウジング（１７）と、
前記ストレートチューブハウジング（１７）に配置され、かつ前記通気孔（１０）と前記ブロー成形チューブの間に位置付けられた防水通気性膜（１５）と、
を含む防水通気性プラグである、請求項１に記載の水面浮遊式支持構造体。
【請求項１１】
前記ブロー成形チューブには、雄ネジ山が設けられ、前記ストレートチューブハウジング（１７）の前記開放端には、該雄ネジ山が取り付けられた雌ネジ山が設けられ、該ブロー成形チューブには、該ストレートチューブハウジング（１７）の装着位置を制限するように構成された回転ロック刻み（１６）が更に設けられ、該ストレートチューブハウジング（１７）の該開放端には、該回転ロック刻み（１６）が取り付けられた回転ロック溝（１８）が設けられる、請求項１０に記載の水面浮遊式支持構造体。
【請求項１２】
前記ストレートチューブハウジング（１７）と同心の防水リング（２０）が、該ストレートチューブハウジング（１７）に更に設けられ、該防水リング（２０）の外壁が、接続板によって該ストレートチューブハウジングの内壁に接続され、該防水リング（２０）、該接続板、及び該ストレートチューブハウジング（１７）の該内壁は、密封リング溝を形成し、前記ブロー成形チューブが取り付けられた密封リングが、該密封リング溝に配置される、請求項１１に記載の水面浮遊式支持構造体。
【請求項１３】
前記水面浮遊式支持構造体の上面（２）が、反り面であり、該反りの中心部が、前記水面浮遊式支持構造体の内側に向けて凹んでいる、請求項２に記載の水面浮遊式支持構造体。